(57)【要約】【課題】  操作部が外部へ突出せず持ち易い構造で、洗剤容器の挿脱が容易にでき、前記洗剤容器を本体内に安定して収納できる方法を備えた洗剤容器一体型摺洗具を提供する。【解決手段】  洗剤吐出操作部４３の近傍に操作用開口部２５を設ける一方、本体１０内に洗剤容器４０を所定位置に保持可能な収容部２０と前記収容部２０に開閉可能なフタ部２３を設け、洗剤容器４０を挿脱自在にするとともに、前記フタ部２３を本体より離脱させずに開閉可能となるよう構成する。【選択図】  図２
2011177318.tif 000002
【特許請求の範囲】
【請求項１】
加圧による洗剤吐出機能を備えた洗剤容器と、スポンジ等の摺洗部を備えた摺洗体が具備され、洗剤吐出孔が摺洗部の構成要素間に臨むよう構成された洗剤容器一体型摺洗具において、
洗剤吐出操作部が摺洗具外部に突出しないよう摺洗具内部の所定位置に配備されるとともに、前記操作部が位置する近傍の外壁に外部より指の挿入が可能な操作用開口部が形成され、前記操作用開口部は指で前記操作部の操作が可能な位置と寸法に形成されていることを特徴とする洗剤容器一体型摺洗具。
【請求項２】
摺洗具がハンドル内部及び本体に洗剤容器を収容可能な収容部を有し、前記収容部は、前方に洗剤容器の肩部を係止する係止部と洗剤容器の外周を包囲するように形成された支持部材を有する一方、前記収容部の洗剤容器挿入口に開閉可能なフタ部が構成され、洗剤容器の肩部を前記収容部の係止部の位置まで挿入し前記フタ部を閉じることによって、洗剤容器を前記収容部内の所定位置に収納可能で、且つこのとき洗剤吐出操作部が操作用開口部より指で操作可能な位置に配置されるよう構成され、前記フタ部の開放時は洗剤容器の挿脱が自在な構成であることを特徴とする請求項１に記載の洗剤容器一体型摺洗具。
【請求項３】
フタ部を洗剤容器挿入口の開口面に沿ってスライド可能に支持するスライド機構が設けられ、フタ部が前記挿入口にスライド可能に装着されるとともに、前記フタ部は外面に洗剤容器が貫通し得る開口部もしくは切欠部を有し、前記フタ部が所定位置にある時前記開口部もしくは切欠部が前記洗剤容器挿入口を連通状態で開放しこの連通部分を通じて洗剤容器が挿脱可能となるよう構成され、フタ部の開閉がフタ部のスライドすなわち開口部もしくは切欠部を移動させることによって実施され、且つ前記スライド機構にフタ部の開放状態を位置決めするストッパー部が設けられ、フタ部が本体より離脱しないよう構成されたことを特徴とする請求項２に記載の洗剤容器一体型摺洗具。
【請求項４】
フタ部を洗剤容器挿入口の開口面に沿って回転可能に支持する回転支持機構が設けられ、フタ部が前記挿入口を覆うように回転可能に装着されるとともに、前記挿入口が前記フタ部によって覆われる被覆面の中心より一側にずれた位置に配置される一方、前記フタ部は外面に洗剤容器が貫通し得る開口部を有し、前記フタ部が所定位置にある時前記開口部が前記挿入口を連通状態で開放しこの連通部分を通じて洗剤容器が挿脱可能となるよう構成され、フタ部の開閉がフタ部の回転すなわち開口部を移動させることによって実施され、且つ前記回転支持機構にフタ部の開放状態を位置決めするストッパー部が設けられ、フタ部が本体より離脱しないよう構成されたことを特徴とする請求項２に記載の洗剤容器一体型摺洗具。
【請求項５】
洗剤容器挿入口の周縁にフタ部が前記挿入口に対して水平もしくは外側に回動可能に支持され、前記フタ部は本体との係止部を有する一方、前記係止部と係合可能な係合部が前記挿入口の近傍に設けられ、前記フタ部の係止部を前記係合部に装着又は解除することでフタ部の開閉が実施され、フタ部開放時もフタ部が本体より離脱することのない構成である請求項２に記載の洗剤容器一体型摺洗具。
【請求項６】
摺洗具がハンドル内部及び本体に洗剤容器を収容可能な収容部を有し、前記収容部は洗剤容器の外周を包囲するように形成された支持部材を有する一方、前記収容部内又はその挿入口周辺と洗剤容器本体の外部に洗剤容器を前記収容部に装着可能な係合手段が設けられ、洗剤容器が着脱可能な構成であることを特徴とする請求項１に記載の洗剤容器一体型摺洗具。
【発明の詳細な説明】
【技術分野】
【０００１】
本発明は摺洗具、例えば、バスルームの壁面や浴槽、衣類の部分洗浄等に好適な洗剤容器一体型摺洗具に関する。
【背景技術】
【０００２】
一般家庭では浴室の清掃や衣類を手作業で洗う際に、いわゆるスポンジやブラシといった摺洗具が用いられている。このような摺洗具を使用する場合、多くはまず洗剤の入ったスプレー容器等で洗剤を被摺洗物に直接かけてからか、あるいは摺洗具に直接洗剤をかけてから作業が行われるが、洗剤容器と摺洗具を別々に手に取るのが面倒であるし、とりわけさっと素早く作業したい時や、汚れを溜めないようにする為の小まめ洗いなどの際には面倒が生じる。
【０００３】
そこで、最近では摺洗具と洗剤容器が一体になった洗剤容器付き摺洗具が種々提案されている。（例えば特許文献１）。
【０００４】
【特許文献１】特開２００９−３４４９９号公報
【０００５】
前記洗剤容器付き摺洗具に記載されている洗剤容器付き摺洗具は、摺洗体と、該摺洗体に取り付けられ洗剤容器を有する把持部と、前記洗剤容器から洗剤を吐出させるディスペンサーとを備えているので、摺洗作業中にディスペンサーを操作することにより、摺洗体の構成要素間に洗剤を吐出することができ、摺洗作業が中断されることがないため作業能率が向上する。
【０００６】
しかも、この洗剤容器付き摺洗具は、滴下式と違い加圧式ノズルが組み込まれており洗剤が吐出口より勢いよく噴出されるので、被摺洗物もしくは摺洗体の毛束に洗剤を素早く塗布でき、また角度が斜めでも噴射できるので作業効率も良く楽である。
【０００７】
しかしながら、この洗剤容器付き摺洗具は、洗剤容器の固定方法が一部の箇所に集中しており、場合によっては洗剤の注入口と兼用としているので、安定性の面から見て改善の余地がある。また操作部と吐出口が別々に設けられそれぞれ別の開口部に臨んでいたり、操作レバーが外部に長く飛び出し誤動作の原因になり兼ねない等、構造が複雑で各パーツに負担がかかり兼ねない状態である。さらに洗剤容器は装着されたままであるため使用時も取り外しがきかない。
【発明の開示】
【発明が解決しようとする課題】
【０００８】
本発明は上述の事情に鑑みてなされたもので、複雑なパーツを減らし、操作部が外部へ突出しない構造で持ち易く、洗剤容器の着脱が容易にでき、前記洗剤容器を本体内に安定して収納できる方法を備えた、使用性に優れた洗剤容器一体型摺洗具を提供することを目的とする。
【課題を解決するための手段】
【０００９】
上記目的を達成するために、本発明に係る洗剤容器一体型摺洗具は、スポンジ等の摺洗部を備えた摺洗体と、加圧による洗剤吐出機能を備えた洗剤容器を具備し、洗剤吐出孔が摺洗部の構成要素間に臨むよう構成された洗剤容器一体型摺洗具において、洗剤吐出操作部を有する摺洗具本体近傍の外壁に指を挿入する開口部が設けられ外部より洗剤吐出操作を可能とする一方、洗剤容器収容部と該収容部の挿入口に開閉可能なフタ部が設けられ、洗剤容器を挿脱自在に、且つ安定して収納できるよう構成されている。
【００１０】
本発明に係る洗剤容器一体型摺洗具においては、洗剤吐出操作部を有するハンドル及び摺洗具本体近傍の外壁に指を挿入し操作部の操作が可能な操作用開口部が設けられている。これにより洗剤吐出操作部が摺洗具外部に突出することがなく、作業の際邪魔にならず本体を掴み易い。
【００１１】
本発明に係る洗剤容器一体型摺洗具においては、摺洗具ハンドル内及び本体に洗剤容器収容部を設け、前記洗剤容器収容部と洗剤容器との間に係合手段を設けるか、もしくは洗剤容器収容部の挿入口にフタ部を設け、洗剤容器を収容部内に安定的に収納且つ挿脱自在に構成されることが好ましい。これにより作業中に洗剤容器が外れたり外に飛び出すことがなく、また状況に応じて取り外すこともできる。
【００１２】
洗剤容器収容部とフタ部を構成した場合は、前記フタ部は洗剤容器を挿脱するのに十分開放した場合も、摺洗具より離脱することのないように構成されることが望ましい。これによりフタ部を完全に取り外すことなく洗剤容器を挿脱でき便利である。
【発明の効果】
【００１３】
洗剤吐出操作部が摺洗具外部に突出しないことで、本体を掴む際も邪魔にならず、操作部に誤って触れるなどして誤動作を招くといったことも無い。また複雑な取り付け機構を要せず、洗剤容器をほぼ直線的に移動させるだけで挿脱可能な構成にすることができる。
【００１４】
洗剤容器が挿脱自在もしくは着脱自在な構成であることは、作業中に洗剤容器の重さが負担になった場合は洗剤容器を容易に取り外すことができ、状況に応じて使い分けでき便利である。
【００１５】
フタ部を設け洗剤容器収容部の挿入口から離脱しないように構成することで、取り外したフタを一旦別の場所に置いたり、そのフタが転げないように気を配ったりする必要がなく使い勝手が良い。
【００１６】
構造が単純明快であり、パーツへの負担が軽減でき、物品の体裁も良い。また洗剤容器が独立した構造であることは、取り外して容器を洗浄することもでき、また容器の消耗による交換時にもわかりやすく好都合で、長期使用の観点からみても良い。
【発明を実施するための最良の形態】
【００１７】
以下、本発明の実施形態を図面を参照して具体的に説明する。図１は本発明の実施形態を示す洗剤容器一体型摺洗具の側面図である。図２は同摺洗具の内部を示した側面図、図３は同摺洗具のフタの開放状態と洗剤容器の半挿入状態を示した側面図、図４は同摺洗具の平面図、図５は同摺洗具の内部機構を示す平面図、図６は同摺洗具の底面図、図７は同摺洗具の背面図、図８は同摺洗具のフタを開放した状態の背面図である。また図９は同摺洗具のフタ部の第２実施形態を示す斜視図、図１０は同フタ部の開放状態を示す斜視図である。図１１は同摺洗具のフタ部の第３実施形態を示す斜視図、図１２は同フタ部の開放状態を示す斜視図、図１３は本発明の摺洗具本体と摺洗体を分離した状態の側面図である。
【００１８】
本実施形態の洗剤容器一体型摺洗具は、上部に操作用のハンドル１２を備えた本体１０と、本体１０の底面に脱着可能に取り付けられた摺洗体１５及び、ハンドル１２内に有する洗剤容器４０が収容可能な洗剤容器収容部２０と、前記収容部２０の洗剤容器挿入口２１の開閉が可能なフタ部２３とで構成され、ハンドル１２上部に操作部操作用の開口部２５と、摺洗体１５の前方に洗剤吐出孔２７を有している。
【００１９】
本体１０はアイロンの如き外形を有しており、本体１０前方より上部に筒状に延出し後方に向かって下部が底面と一体形成されたハンドル１２が形成され、ハンドル１２内には洗剤容器４０を収容する洗剤容器収容部２０となる中空部が設けられている。前記収容部２０には、洗剤吐出機能を備えた洗剤容器４０が収容且つ挿脱自在に構成されるとともに、収容部２０は洗剤容器４０が所定位置に装着されるよう、前方に洗剤容器の肩部を係止する係止部３０と、洗剤容器の外周を包囲するように円筒形の支持部材が形成されている。
【００２０】
ハンドル１２には上部前方に、洗剤吐出操作部４３を操作するための操作用開口部２５が設けられている。この操作用開口部２５は、洗剤容器４０が収容部２０内の所定の位置に装着された際、前記操作部４３が位置する上部外壁に略矩形に設けられ、外部より指の挿入が可能且つ操作部の操作が可能な位置と寸法に形成されている。ハンドル１２後部には、後述するが、洗剤容器挿入口２１の開閉と洗剤容器４０を収容部２０へ収納し覆蓋可能なフタ部２３が配置されている。
【００２１】
前記洗剤容器収容部２０は、後部に洗剤容器挿入口２１を有し、外部に前記挿入口２１を覆うように開閉可能なフタ部２３が設けられている。一方収容部２０内部前方には、洗剤容器４０を後部より挿入した際に洗剤容器４０の肩部が当接する係止部３０が内壁より中心軸に向かって上下に一対突出するよう設けられている。
【００２２】
前記挿入口２１は洗剤容器収容部２０を内蔵するハンドル１２の後部に位置し、洗剤容器４０を前記収容部２０に軸方向に挿脱可能となるように開放された後部略円形の開口部であり、下部に案内溝２９の端部となる凹部を有している。案内溝２９は、前記挿入口２１の凹部より前方にかけて前記収容部２０の内壁下部に形成された凹溝であり、両端部が幅広に形成された導入部を有している。本実施形態では前記吐出ノズル４１の先端が案内突起となり、この先端が前記案内溝２９を通るよう挿入することで収容部２０内での洗剤容器４０の上下の向きを決定している。これにより洗剤容器４０が所定の位置に収容されるよう構成されている。
【００２３】
洗剤容器４０は周知の容器であって、全体が略円筒形に形成された中空体であり、加圧による洗剤吐出装置４２と洗剤吐出ノズル４１及び洗剤吐出操作部４３とを備えている。洗剤吐出装置４２は液体収容部４８の前方に備えられ、後部に洗剤吸い込み口４５を有している。洗剤吐出ノズル４１は前方に設けられた洗剤吐出操作部４３側面より下部に向かって延出し、摺洗体１５の前方の洗剤吐出孔２７に臨んでいる。
【００２４】
摺洗具本体底面と台座５１はそれぞれ前方に洗剤吐出孔２７を有し摺洗部スポンジに設けられた貫通孔５２と連通し、外部へ通じるよう構成されている。洗剤吐出操作部４３を操作すると、洗剤の吸い込み口４５から洗剤が吸い込まれると同時に、洗剤が吐出ノズル４１の先端から下部に吐出され、洗剤吐出孔２７とスポンジの貫通孔５２を通過して外部へ吐出される。
【００２５】
本実施形態に具備される洗剤容器４０は、内部の液体を気密に保つ機能を有している。洗剤容器４０本体の内部には洗剤吐出装置４２に加え、容器内部を液体収容部４８と後部の空間に隔離する隔離体４７が備わっている。前記隔離体４７は周壁が容器内側周壁と密着するように備えられており、操作部４３を操作すると内部が加圧され、洗剤が吐出ノズル４１を通じて外部に吐出されると同時に、隔離体４７が圧力により前方へ引き寄せられ、液体収容部４８の液体の容量が減り容積が収縮すると共に内部が気密に保たれる。すなわち液体収容部４８は空気の浸入が拒まれるため、洗剤吸い込み口４５の先端が常に洗剤に浸され常時吸い上げが可能なため、洗剤の残量や容器の角度にかかわらずどのような角度でも常に噴射が可能である。
【００２６】
ハンドル１２後部の洗剤容器挿入口２１は外部に開閉可能なフタ部２３を有している。フタ部２３は下部の一辺が側壁をもたない略箱型を有し、左右の側壁内側はスライド機構を構成する凸溝３３が挿入口２１周縁の凹溝３４と係合するよう縁部に沿って設けられている。フタ部２３の外面は下部端縁中央部より中心に向かって円弧状の切欠部３１を有した形状で、左右側壁の外側中央部には、フタ部２３を操作する際滑りにくくする為の滑り止め部２６が設けられている。
【００２７】
一方前記挿入口２１の左右側壁外側には、スライド機構を構成する凹溝３４が前記フタ部２３内側の凸溝３３と係合するように設けられ、フタ部２３は前記凹溝３４を介して前記挿入口２１にスライド可能に装着されている。
【００２８】
挿入口２１周縁の凹溝３４は、フタ部２３の凸溝３３の端部である係止部３８がフタ部２３の開放状態で当接する位置と閉鎖状態で当接する位置の二箇所にストッパー部３５となる両端部が定められ、フタ部２３の開放状態が位置決めされている。
【００２９】
フタ部２３の開放状態では、フタ部２３の外面に設けられた円弧状の切欠部３１と洗剤容器挿入口２１が連通し、洗剤容器の挿脱経路が開放されることによりこの連通部分を通じて洗剤容器４０の挿脱が可能となる。
【００３０】
一方、フタ部２３の閉鎖状態では、フタ部２３の切欠部３１以外の面が前記挿入口２１を部分的に封鎖し、これにより洗剤容器４０は挿脱不能になり収容部２０内に収容されることになる。また切欠部３１の断面である内側縁部の収容部側は外周側に向かって傾斜した傾斜面３７に形成されている。この傾斜面３７は洗剤容器収納の際、洗剤容器４０後部の縁部が最初に当接する場合に備えて設けられており、フタ部２３をスライドして閉じることによって洗剤容器４０が収容部２０内へスムーズに導入されるよう形成されている。
【００３１】
フタ部２３と挿入口２１双方の溝部にストッパー手段が設けられていることにより、フタ部２３は本体から離脱することがない。また本実施例では凹溝３４と凸溝３３が摩擦的に接するよう取り付けられており、フタ部が移動した位置に静止できるよう構成されている。
【００３２】
摺洗体１５は板状の台座５１の裏面にスポンジ素材からなる摺洗部１６を備えている。摺洗体１５の台座５１は、本体１０の底面に複数のフック１８により脱着可能に連結されている。これによりスポンジの表面部分が磨耗した際には摺洗体１５を本体１０から取り外して、新品のスポンジが備わった摺洗体１５に付け替えることができる。
【００３３】
本体１０の底面と摺洗体１５の台座５１前方には、洗剤吐出ノズル４１の先端が臨む洗剤吐出孔２７が設けられている。この洗剤吐出孔２７と摺洗部のスポンジ部分に設けられた貫通孔５２とが連通するように構成され、吐出された洗剤はこの貫通孔５２を通じて摺洗体１５下部へ吐出される。
【００３４】
上記構成を有する洗剤容器一体型摺洗具は、以上の説明から理解されるように、洗剤容器収容部２０に洗剤吐出機能を備えた洗剤容器４０が収容されている状態で、本体１０のハンドル１２をもち、操作用開口部２５より指を挿入し操作部４３を操作することでスポンジ部分の貫通孔５２より洗剤が吐出され、摺洗部１６で被摺洗物を洗浄することができる。また洗剤容器４０は洗剤容器収容部２０に挿脱自在に収納可能で、挿入口２１を覆うフタ部２３はストッパー手段を有し本体から離脱させることなく開閉可能である。
【００３５】
洗剤容器収容部２０内の洗剤吐出操作部４３が位置する近傍の外壁に、操作用の開口部２５を設けることで、操作部４３が摺洗具本体の外部へ突出することがなく、収容部２０へ装着でき、操作部４３が邪魔にならず本体を掴み易い。また操作部４３に誤って触れたり、予期せぬ場所に当たるなどして誤動作を招くといったことも無い。
【００３６】
洗剤容器挿入口２１にフタ部２３が設けられ、洗剤容器収容部２０内に洗剤容器４０を所定位置に配置する支持部材や係止部が形成されることで、洗剤容器４０を安定的に収納することが可能で、使用中に飛び出したり外れるといったこともない。
【００３７】
フタ部２３が本体１０より離脱しないように構成されることで、フタ部２３を装着したまま洗剤容器４０の挿脱が自在で、取り外したフタ部２３を一旦別の場所に置くといった必要が無いため使い勝手が良い。
【００３８】
洗剤容器４０を挿脱可能な構成にすることで、構造が安定し、また状況に応じて作業中も容易に取り外すことができる。
【００３９】
図９は、本洗剤容器一体型摺洗具のフタ部の第２実施形態を示す図である。
【００４０】
第２実施形態のフタ部は、第１実施形態のフタ部と比べてフタ部２３の開閉方式が異なる。第１実施形態ではフタ部２３をスライド式に開閉する方式であったのに対し、第２実施形態のフタ部は、フタ部２３を回転させてフタ部２３の開口部が洗剤容器挿入口２１を開放するように連通させることで洗剤容器４０を挿脱する方式である。
【００４１】
洗剤容器挿入口２１を有したハンドル１２の後部は、フタ部２３が装着される被覆面が円形を有し、被覆面に内包されるように洗剤容器挿入口２１の一側が前記被覆面の上部に接する位置に配置され、前記被覆面の周縁には回転支持機構を構成する溝部３３が設けられフタ部の装着が可能となっている。
【００４２】
フタ部２３は略円筒形を有し、外面に洗剤容器４０が貫通可能な開口部３２が一側縁部に接する位置に設けられている。フタ部２３周壁内側には回転支持機構を構成する凹溝３４が挿入口２１周縁の溝部３３と係合可能となるよう設けられ、前記フタ部２３が前記被覆面に挿入口２１を覆うように回転可能に装着されている。
【００４３】
フタ部２３の凹溝３４は、挿入口２１周縁の凸溝３３の端部であるストッパー部３５が当接する係止部３８がフタ部２３の開放状態で当接する位置と閉鎖状態で当接する位置の二箇所に形成され、フタ部の開放状態が位置決めされている。フタ部２３の開放状態ではフタ部２３の開口部３２が洗剤容器挿入口２１を連通状態で開放するよう構成されており、挿脱経路が開放されることによりこの連通部分より洗剤容器４０の挿脱が可能になる。
【００４４】
一方、フタ部２３の閉鎖状態では、フタ部２３外面の開口部３２以外の面が挿入口２１の一部を封鎖し、これにより洗剤容器４０は挿脱が不能となり洗剤容器収容部２０内に収納されることになる。また本実施例では、フタ部を移動した位置に静止できるよう凹溝３４と凸溝３３が摩擦的に接するよう取り付けられている。
【００４５】
上記構成を有する洗剤容器一体型摺洗具は、以上の説明から理解されるように、フタ部２３が回転式に取り付けられることで、フタ部２３の開放時も本体１０の外形が変化することがないため、ハンドル１２を掴んだまま片手でフタ部２３の開閉操作が行い易い。
【００４６】
またフタ部２３と挿入口２１双方の溝部にストッパー手段が設けられていることにより、フタ部２３は本体から離脱することがない。
【００４７】
洗剤吐出操作部４３を操作する為の指を挿入する開口部２５がハンドル１２上部に形成されていることや、洗剤吐出孔２７が摺洗部１６の構成要素間に臨んでいることなどは、第１実施形態の摺洗具と同様である。
【００４８】
操作用開口部２５が設けられ操作部４３が外部へ突出せず本体を掴みやすいこと、フタ部２３が設けられ洗剤容器４０を本体内に安定して収納できること、フタ部２３が本体より離脱しないことで洗剤容器４０の挿脱が容易に行えることなどは第１実施形態と同じである。
【００４９】
図１１は、本洗剤容器一体型摺洗具のフタ部２３の第３実施形態を示す図である。
【００５０】
第３実施形態のフタ部も、上記実施形態のフタ部と比べて同じくフタ部２３の開閉方式が異なる。第３実施形態では、洗剤容器収容部の挿入口２１周縁に支軸３６を介してフタ部２３が挿入口に対して水平方向に回動可能に連結されている。
【００５１】
フタ部２３は下部の一辺が側壁をもたない略半円筒形で、外面に切欠部を有し挿入口２１の周縁右側に支軸３６を介して回動可能に装着されている。一方フタ部２３は支軸３６の反対側の縁部内側に係止部３８を有するとともに、挿入口２１の周縁外側に前記係止部３８が係合する係合部３９が備えられ、前記係止部３８を挿入口２１側の係合部３９に装着又は解除することでフタ部２３の開閉が可能となっている。これによりフタ部２３を挿入口２１から離脱させることなく開閉でき、洗剤容器４０の挿脱が自在である。
【００５２】
上記構成を有する洗剤容器一体型摺洗具は、以上の説明から理解されるように、フタ部２３が挿入口２１の近傍に回動可能に取り付けられることで、より片手での操作が楽になる。
【００５３】
洗剤吐出操作部４３を操作する為の指を挿入する開口部２５がハンドル１２上部に形成されていることや、洗剤吐出孔２７が摺洗部１６の構成要素間に臨んでいることなどは、上記実施形態の摺洗具と同様である。
【００５４】
操作用開口部２５が設けられ操作部４３が外部へ突出せず本体を掴みやすいこと、フタ部２３が設けられ洗剤容器４０を本体内に安定して収納できること、フタ部２３が本体より離脱しないことで洗剤容器４０の挿脱が容易に行えることなどは上記実施形態と同じである。
【００５５】
なお、ハンドルを含む摺洗具本体やフタ部の形状及び摺洗体の形状は、上記実施形態ような形状にこだわるものではない。
【００５６】
洗剤容器収容部における洗剤容器の支持部材の構造や係止部の形状も、上記のような形態にこだわることなく任意の形態が採用される。
【００５７】
フタ部を洗剤容器挿入口に装着する支持機構の形状も、上記のような実施形態にこだわることなく任意の形状が採用される。また上記実施形態ではフタ部は本体に摩擦的に取り付けられているがこの構成にこだわるものではない。例えば支持機構に凸部や凹部からなるロック機構を設けフタ部が開放位置や閉鎖位置で静止するようにしてもよい。
【００５８】
洗剤容器は洗剤容器収容部内に収納されている時、洗剤容器の肩部から後部が係止部とフタ部の間に位置していればその状態は押圧状態、非押圧状態を問わない。
【００５９】
案内溝や案内突起の位置や形状も上記の実施形態にこだわるものではない。
【００６０】
摺洗部にはスポンジが用いられているが、ブラシ毛やたわしのようなものが用いられてもよく、被摺洗部を摺洗できる素材であれば材質は問わない。
【００６１】
摺洗具に具備される洗剤容器の構成や形状、またその洗剤容器に具備される洗剤吐出装置も、上記のような実施形態のものにこだわることなく、種々のものが採用される。例えば洗剤吐出装置は、洗剤がミクロ単位のクリーム状の泡で吐出される装置などが用いられても良い。
【００６２】
摺洗具本体と摺洗体の連結手段も上記実施形態にこだわることなく、任意の方式が採用される。例えば面ファスナー（マジックテープ（登録商標））を台座と本体の係合する面に取り付け双方を脱着可能に構成するなどとしても良い。
【図面の簡単な説明】
【００６３】
【図１】本発明の実施形態を示す洗剤容器一体型摺洗具の側面図である。
【図２】同摺洗具の内部を示した側面図である。
【図３】同摺洗具のフタ部の開放状態と洗剤容器の半挿入状態を示した図である。
【図４】同摺洗具の平面図である。
【図５】同摺洗具の内部機構を示す平面図である。
【図６】同摺洗具の底面図である。
【図７】同摺洗具の背面図である。
【図８】同摺洗具のフタ部を開放した状態の背面図である。
【図９】同摺洗具のフタ部の第２実施形態を示す斜視図である。
【図１０】同フタ部の開放状態を示す斜視図である。
【図１１】同摺洗具のフタ部の第３実施形態を示す斜視図である。
【図１２】同フタ部の開放状態を示す斜視図である。
【図１３】本発明の摺洗具本体と摺洗体を分離した状態の側面図である。
【符号の説明】
【００６４】
１０  摺洗具本体
１２  ハンドル
１５  摺洗体
１６  摺洗部
１８  フック
２０  洗剤容器収容部
２１  （洗剤容器挿入用）開口部
２３  フタ部
２５  （操作用）開口部
２６  滑り止め部
２７  洗剤吐出孔
２９  案内溝
３０  （収容部内）係止部
３１  切欠部
３２  （フタ部）開口部
３３  凸溝部
３４  凹溝部
３５  ストッパー部
３６  支軸
３７  傾斜面
３８  係止部
３９  係合部
４０  洗剤容器
４１  吐出ノズル
４２  洗剤吐出装置
４３  洗剤吐出操作部
４５  吸い込み口
４７  隔離体
４８  液体収容部
５１  台座
５２  スポンジ貫通孔
【図１】
2011177318.tif 000003
【図２】
2011177318.tif 000004
【図３】
2011177318.tif 000005
【図４】
2011177318.tif 000006
【図５】
2011177318.tif 000007
【図６】
2011177318.tif 000008
【図７】
2011177318.tif 000009
【図８】
2011177318.tif 000010
【図９】
2011177318.tif 000011
【図１０】
2011177318.tif 000012
【図１１】
2011177318.tif 000013
【図１２】
2011177318.tif 000014
【図１３】
2011177318.tif 000015